(57)【特許請求の範囲】
【請求項１】
圧電フィルムの上面と下面とに電極を配置して、前記電極のうち少なくともいずれかがパターン化した電極である一つのセンサーユニットを構成し、電極パターンの異なる前記複数のセンサーユニットを積層し、前記積層したセンサーユニットが押下された時、前記各センサーユニットからの出力信号の組合せにより、前記圧電フィルム上の押下位置に対応する信号を出力する入力装置であって、
各センサーユニットからの出力信号と予め設定された入力有り判定しきい値とを比較して、前記出力信号が前記しきい値を超える時入力有りと判断し、前記出力信号が前記しきい値を超えない時入力無しと判断して前記比較結果を２値化する比較手段と、前記各センサーユニットに対応した複数の前記比較手段の比較結果の内一つ以上の比較結果が入力有りとなった時、入力有効と判定する判定手段と、予め複数の前記比較手段からの２値化した信号の組合せと圧電フィルム上の押下位置に対応する位置信号との関係を表した対応表を記憶した記憶手段と、前記判定手段による判定結果が有効と判定された時、前記複数の比較手段からの２値化した信号の組合せと前記記憶手段が記憶している前記対応表とを参照して前記位置信号を求める検索手段とから構成される
ことを特徴とする入力装置。
【請求項２】
積層した前記複数のセンサーユニットを押下した時に、最も分割数の多い電極を配置した前記センサユニット上の前記電極を配置した各々の箇所と前記電極を配置していない各々の箇所とに対応する前記信号の組合せを出力するように前記各センサユニットの電極をパターン化したことを特徴とする請求項１記載の入力装置。
【請求項３】
複数箇所の位置を識別するために、２を正の整数で累乗した数から１を引いた数が、識別する箇所の数より大きいことを満たす前記正の整数をセンサーユニットの数とし、前記センサーユニットの電極は２を前記センサーユニットの数を最大とする正の整数で累乗した数に分割され、前記電極の分割数は前記全てのセンサーユニットにおいて異なることを特徴とする請求項２記載の入力装置。
【請求項４】
複数箇所の位置を識別するために、２を正の整数で累乗した数から１を引いた数が、識別する箇所の数より大きいことを満たす前記正の整数の内最小の整数をセンサーユニットの数とし、前記センサーユニットの電極は２を前記センサーユニットの数を最大とする正の整数で累乗した数に分割され、前記電極の分割数は前記全てのセンサーユニットにおいて異なることを特徴とする請求項３記載の入力装置。
【請求項５】
圧電フィルムは発泡ポリプロピレンからなり、前記圧電フィルムよりなる各センサーユニットからの出力信号の内一つの出力信号が予め設定した入力有り判定しきい値を超えてから、前記出力信号が前記しきい値より下がるまでの時間を計測し、前記時間を押下の強度とする強度信号を出力することを特徴とする請求項１乃至４いずれか記載の入力装置。
【請求項６】
圧電フィルムは発泡ポリプロピレンからなり、前記圧電フィルムよりなる各センサーユニットからの出力信号の内一つの出力信号が予め設定した入力有り判定しきい値を超えてから、前記出力信号が前記しきい値より下がるまでの間だけ、圧着フィルム上の押下位置に対応する位置信号を出力することを特徴とする請求項１乃至５いずれか記載の入力装置。
【請求項７】
各センサーユニットからの出力信号のピーク値を多値にデジタル化した値に変換して、前記各センサーユニットからの出力信号のピーク値の内最大のピーク値を押下の強度とする強度信号を出力するアナログ−デジタル変換部を備えることを特徴とする請求項１乃至４いずれか記載の入力装置。
【請求項８】
前記位置信号は、圧電フィルム上の押下位置に割り当てる機能に対応するコードであることを特徴とする請求項１乃至７いずれか記載の入力装置。
【請求項９】
予め各出力信号に対して入力を受け付けるための出力強度しきい値を記憶させたしきい値表を設定し、前記入力発生時、前記しきい値表より前記入力に対応した出力強度しきい値と前記入力の強度信号とを比較し、前記比較結果に応じて前記出力信号を出力するかどうかを判定することを特徴とする請求項５記載の入力装置。
【請求項１０】
前記パターン化した電極の配置を一次元方向に並べてセンサーユニットを構成し、前記一次元方向の電極配置を持ち、前記センサーユニットと電極パターンが異なるセンサーユニットを電極パターン方向を揃えて積層したことを特徴とする請求項１乃至９いずれか記載の入力装置。
【請求項１１】
前記パターン化した電極の配置を一次元方向に並べてセンサーユニットを構成し、前記一次元方向の電極配置を持ち、前記センサーユニットと電極パターンが異なるセンサーユニットを前記センサーユニットに対して電極パターン方向を略９０度異なるように積層したことを特徴とする請求項１乃至９いずれか記載の入力装置。
【請求項１２】
前記パターン化した電極の配置を同心円状に並べてセンサーユニットを構成し、前記同心円状の電極配置を持ち、前記センサーユニットと電極パターンが異なるセンサーユニットを積層したことを特徴とする請求項１乃至９いずれか記載の入力装置。
【請求項１３】
前記パターン化した電極の配置を放射状に並べてセンサーユニットを構成し、前記放射状の電極配置を持ち、前記センサーユニットと電極パターンが異なるセンサーユニットを積層したことを特徴とする請求項１乃至９いずれか記載の入力装置。
【請求項１４】
前記パターン化した電極の配置を同心円状に並べて構成されたセンサーユニットと、前記パターン化した電極の配置を放射状に並べて構成されたセンサーユニットとを積層したことを特徴とする請求項１乃至９いずれか記載の入力装置。
【請求項１５】
任意に前記パターン化した電極を任意に配置してセンサーユニットを構成し、前記任意の電極配置を持ち、前記センサーユニットと電極パターンが異なるセンサーユニットを積層したことを特徴とする請求項１乃至９いずれか記載の入力装置。
【請求項１６】
前記パターン化した電極を配置して一つのセンサーユニットを構成し、電極パターンの異なる前記複数のセンサーユニットを積層する時、前記各電極パターンの境界が積層方向に重ならないように積層したことを特徴とする請求項１乃至９いずれか記載の入力装置。
【請求項１７】
前記パターン化した電極を配置して一つのセンサーユニットを構成し、電極パターンの異なる前記複数のセンサーユニットを積層する時、最小幅の電極パターンの次に前記最小幅の電極パターンを前記電極パターン幅の１／２ずらして積層したことを特徴とする請求項１乃至９いずれか記載の入力装置。
【請求項１８】
前記パターン化した電極を配置して一つのセンサーユニットを構成し、電極パターンの異なる前記複数のセンサーユニットを積層し、前記積層されたセンサーユニットを平板上に設置したことを特徴とする請求項１乃至９いずれか記載の入力装置。
【請求項１９】
前記パターン化した電極を配置して一つのセンサーユニットを構成し、電極パターンの異なる前記複数のセンサーユニットを積層し、前記積層されたセンサーユニットを曲面上に設置したことを特徴とする請求項１乃至９いずれか記載の入力装置。
【請求項２０】
前記パターン化した電極を配置して一つのセンサーユニットを構成し、電極パターンの異なる前記複数のセンサーユニットを積層し、前記積層されたセンサーユニットを可とう性を持つ面上に設置したことを特徴とする請求項１乃至９いずれか記載の入力装置。
【請求項２１】
前記パターン化した電極を配置して一つのセンサーユニットを構成し、電極パターンの異なる前記複数のセンサーユニットを積層し、前記積層されたセンサーユニットの下に柔軟部材を介して支持材を設置したことを特徴とする請求項１乃至９いずれか記載の入力装置。
【請求項２２】
立体形状に成形した圧電フィルムに前記パターン化した電極を配置して一つのセンサーユニットを構成し、電極パターンの異なる前記複数のセンサーユニットを積層したことを特徴とする請求項１乃至９いずれか記載の入力装置。  
【発明の詳細な説明】
【０００１】
【発明の属する技術分野】
本発明は、コンピュータ、携帯電話、ゲーム機、電子楽器等のデジタル機器への入力装置に関するものである。
【０００２】
【従来の技術】
特開平３３３９９０号に記載されている従来例を図２１に示す。この従来例では、変形すると電圧が発生する圧電フィルム３の上面および下面に導電層２，４を設け、該各導電層表面の四囲の各辺部に辺部に沿って延びる独立した電極６〜９等を設け、前記圧電フィルムの下面に設けられた導電層の下部に弾性体層５を設け、該弾性体層５の下部に支持板１０を設けた構成としている。位置検出装置は、位置検出用部材の各辺部の対をなす電極同士を電流検出回路を介して接続し、各電流検出回路が検出した電流値を入力とする位置検出手段を設けた構成としている
【０００３】
【発明が解決しようとする課題】
しかし、前記従来例では、各電極に接続された電流検出回路で検出された各電流値をもとに位置検出をする方法であるので、圧電フィルムの押下方法により検出位置の再現性が安定しない。また、広い範囲での位置検出は感度が不足して信頼性が低下することとなる。
【０００４】
また、押下位置の検出に加えて、押下強度の検出を同時に行うことはできない。
【０００５】
本発明は、上記事由に鑑みてなされたものであり、その目的は、広範囲に高信頼性の押下位置と押下強度の検出を同時に行える圧電フィルムを使用した、デジタル機器への入力装置を提供することにある。
【０００６】
【課題を解決するための手段】
請求項１の発明は、圧電フィルムの上面と下面とに電極を配置して、前記電極のうち少なくともいずれかがパターン化した電極である一つのセンサーユニットを構成し、電極パターンの異なる前記複数のセンサーユニットを積層し、前記積層したセンサーユニットが押下された時、前記各センサーユニットからの出力信号の組合せにより、前記圧電フィルム上の押下位置に対応する信号を出力する入力装置であって、各センサーユニットからの出力信号と予め設定された入力有り判定しきい値とを比較して、前記出力信号が前記しきい値を超える時入力有りと判断し、前記出力信号が前記しきい値を超えない時入力無しと判断して前記比較結果を２値化する比較手段と、前記各センサーユニットに対応した複数の前記比較手段の比較結果の内一つ以上の比較結果が入力有りとなった時、入力有効と判定する判定手段と、予め複数の前記比較手段からの２値化した信号の組合せと圧電フィルム上の押下位置に対応する位置信号との関係を表した対応表を記憶した記憶手段と、前記判定手段による判定結果が有効と判定された時、前記複数の比較手段からの２値化した信号の組合せと前記記憶手段が記憶している前記対応表とを参照して前記位置信号を求める検索手段とから構成されることを特徴とし、この構成によれば広範囲に高信頼性の押下位置と押下強度の検出を同時に行える圧電フィルムを使用した、デジタル機器への入力装置を提供することができる。さらに、センサーユニットからの出力信号を２値化して処理すること及び、あらかじめ前記２値化した信号の組合せと前記位置信号との関係を記憶することで後段の信号処理部の構成を簡略化することができる。
【０００７】
請求項２の発明は、請求項１の発明において、積層した前記複数のセンサーユニットを押下した時に、最も分割数の多い電極を配置した前記センサユニット上の前記電極を配置した各々の箇所と前記電極を配置していない各々の箇所とに対応する前記信号の組合せを出力するように前記各センサユニットの電極をパターン化したことを特徴とし、圧電フィルムをｎ枚以上積層することで、（２ｎ−１）分割した位置検出をｎ個の信号で行うことができ、配線及び電極配置を簡略化できる。
【０００８】
請求項３の発明は、請求項２の発明において、複数箇所の位置を識別するために、２を正の整数で累乗した数から１を引いた数が、識別する箇所の数より大きいことを満たす前記正の整数をセンサーユニットの数とし、前記センサーユニットの電極は２を前記センサーユニットの数を最大とする正の整数で累乗した数に分割され、前記電極の分割数は前記全てのセンサーユニットにおいて異なることを特徴とし、圧電フィルムをｎ枚以上積層することで、（２ｎ−１）分割した位置検出をｎ個の信号で行うことができ、配線及び電極配置を簡略化できる。
【０００９】
請求項４の発明は、請求項３の発明において、複数箇所の位置を識別するために、２を正の整数で累乗した数から１を引いた数が、識別する箇所の数より大きいことを満たす前記正の整数の内最小の整数をセンサーユニットの数とし、前記センサーユニットの電極は２を前記センサーユニットの数を最大とする正の整数で累乗した数に分割され、前記電極の分割数は前記全てのセンサーユニットにおいて異なることを特徴とし、圧電フィルムをｎ枚積層することで、（２ｎ−１）分割した位置検出をｎ個の信号で行うことができ、配線及び電極配置を簡略化できる。  
【００１０】
請求項５の発明は、請求項１乃至４いずれかの発明において、圧電フィルムは発泡ポリプロピレンからなり、前記圧電フィルムよりなる各センサーユニットからの出力信号の内一つの出力信号が予め設定した入力有り判定しきい値を超えてから、前記出力信号が前記しきい値より下がるまでの時間を計測し、前記時間を押下の強度とする強度信号を出力することを特徴とし、アナログ−デジタル変換部を設けることなく簡易な構成で押下の強度に応じた出力を得ることができる。
【００１１】
請求項６の発明は、請求項１乃至５いずれかの発明において、圧電フィルムは発泡ポリプロピレンからなり、前記圧電フィルムよりなる各センサーユニットからの出力信号の内一つの出力信号が予め設定した入力有り判定しきい値を超えてから、前記出力信号が前記しきい値より下がるまでの間だけ、圧着フィルム上の押下位置に対応する位置信号を出力することを特徴とし、押下している間だけ位置出力を得られるようにすることができる。
【００１２】
請求項７の発明は、請求項１乃至４いずれかの発明において、各センサーユニットからの出力信号のピーク値を多値にデジタル化した値に変換して、前記各センサーユニットからの出力信号のピーク値の内最大のピーク値を押下の強度とする強度信号を出力するアナログ−デジタル変換部を備えることを特徴とし、押下の強度に応じた出力を得ることができる。
【００１３】
請求項８の発明は、請求項１乃至７いずれかの発明において、前記位置信号は、圧電フィルム上の押下位置に割り当てる機能に対応するコードであることを特徴とし、押下位置に応じた機能信号を出力することができる。
【００１４】
請求項９の発明は、請求項５の発明において、予め各出力信号に対して入力を受け付けるための出力強度しきい値を記憶させたしきい値表を設定し、前記入力発生時、前記しきい値表より前記入力に対応した出力強度しきい値と前記入力の強度信号とを比較し、前記比較結果に応じて前記出力信号を出力するかどうかを判定することを特徴とし、押下位置によって前記しきい値を変えることで、押下位置によるセンサーの感度を変えることができる。
【００１５】
請求項１０の発明は、請求項１乃至９いずれかの発明において、前記パターン化した電極の配置を一次元方向に並べてセンサーユニットを構成し、前記一次元方向の電極配置を持ち、前記センサーユニットと電極パターンが異なるセンサーユニットを電極パターン方向を揃えて積層したことを特徴とし、圧電フィルムをｎ枚積層することで、（２ｎ−１）分割した位置検出をｎ個の信号で行うことができ、配線及び電極配置を簡略化できる。
【００１６】
請求項１１の発明は、請求項１乃至９いずれかの発明において、前記パターン化した電極の配置を一次元方向に並べてセンサーユニットを構成し、前記一次元方向の電極配置を持ち、前記センサーユニットと電極パターンが異なるセンサーユニットを前記センサーユニットに対して電極パターン方向を略９０度異なるように積層したことを特徴とし、圧電フィルムをｎ枚積層することで、（２ｎ−１）分割した位置検出をｎ個の信号で行うことができ、配線及び電極配置を簡略化できる。
【００１７】
請求項１２の発明は、請求項１乃至９いずれかの発明において、前記パターン化した電極の配置を同心円状に並べてセンサーユニットを構成し、前記同心円状の電極配置を持ち、前記センサーユニットと電極パターンが異なるセンサーユニットを積層したことを特徴とし、押下した位置の中心からの距離を検出することができる。
【００１８】
請求項１３の発明は、請求項１乃至９いずれかの発明において、前記パターン化した電極の配置を放射状に並べてセンサーユニットを構成し、前記放射状の電極配置を持ち、前記センサーユニットと電極パターンが異なるセンサーユニットを積層したことを特徴とし、押下した位置の中心からの方向を検出することができる。
【００１９】
請求項１４の発明は、請求項１乃至９いずれかの発明において、前記パターン化した電極の配置を同心円状に並べて構成されたセンサーユニットと、前記パターン化した電極の配置を放射状に並べて構成されたセンサーユニットとを積層したことを特徴とし、押下した位置の中心からの極座標情報を検出することができる。
【００２０】
請求項１５の発明は、請求項１乃至９いずれかの発明において、任意に前記パターン化した電極を任意に配置してセンサーユニットを構成し、前記任意の電極配置を持ち、前記センサーユニットと電極パターンが異なるセンサーユニットを積層したことを特徴とし、圧電フィルムをｎ枚積層することで、（２ｎ−１）分割した位置検出をｎ個の信号で行うことができ、配線及び電極配置を簡略化できる。
【００２１】
請求項１６の発明は、請求項１乃至９いずれかの発明において、前記パターン化した電極を配置して一つのセンサーユニットを構成し、電極パターンの異なる前記複数のセンサーユニットを積層する時、前記各電極パターンの境界が積層方向に重ならないように積層したことを特徴とし、電極パターンの境界位置がずれた場合又は、電極パターンの境界付近に圧力を加えて出力がずれて出た場合でも誤差±１での検出ができる。
【００２２】
請求項１７の発明は、請求項１乃至９いずれかの発明において、前記パターン化した電極を配置して一つのセンサーユニットを構成し、電極パターンの異なる前記複数のセンサーユニットを積層する時、最小幅の電極パターンの次に前記最小幅の電極パターンを前記電極パターン幅の１／２ずらして積層したことを特徴とし、細かい電極パターンを生成することなく位置分解能を上げることができる。
【００２３】
請求項１８の発明は、請求項１乃至９いずれかの発明において、前記パターン化した電極を配置して一つのセンサーユニットを構成し、電極パターンの異なる前記複数のセンサーユニットを積層し、前記積層されたセンサーユニットを平板上に設置したことを特徴とし、平板上にセンサーを設置して位置検出を行うことができる。
【００２４】
請求項１９の発明は、請求項１乃至９いずれかの発明において、前記パターン化した電極を配置して一つのセンサーユニットを構成し、電極パターンの異なる前記複数のセンサーユニットを積層し、前記積層されたセンサーユニットを曲面上に設置したことを特徴とし、曲面上にセンサーを設置して位置検出を行うことができる。
【００２５】
請求項２０の発明は、請求項１乃至９いずれかの発明において、前記パターン化した電極を配置して一つのセンサーユニットを構成し、電極パターンの異なる前記複数のセンサーユニットを積層し、前記積層されたセンサーユニットを可とう性を持つ面上に設置したことを特徴とし、可とう性を持つ面上にセンサーを設置して位置検出を行うことができ、センサー自体も可とう性を持っているので丸めたりしてコンパクトにできる。
【００２６】
請求項２１の発明は、請求項１乃至９いずれかの発明において、前記パターン化した電極を配置して一つのセンサーユニットを構成し、電極パターンの異なる前記複数のセンサーユニットを積層し、前記積層されたセンサーユニットの下に柔軟部材を介して支持材を設置したことを特徴とし、押下時に柔軟な感触を得ることができる。
【００２７】
請求項２２の発明は、請求項１乃至９いずれかの発明において、立体形状に成形した圧電フィルムに前記パターン化した電極を配置して一つのセンサーユニットを構成し、電極パターンの異なる前記複数のセンサーユニットを積層したことを特徴とし、センサーを設置しにくい形状の面でも１枚のセンサーで位置検出を行うことができる。  
【００２８】
【発明の実施の形態】
以下、本発明の実施の形態を図面に基づいて説明する。
【００２９】
（実施形態１）
図1は実施形態１の構成図を示し、お互いに異なった電極パターンを持つセンサーユニットＡ１、Ａ２，Ａ３を積層したセンサー部Ｂ１と、センサー部Ｂ１の出力信号を入力して位置信号と強度信号とを出力する信号処理部Ｇと、信号処理部Ｇの出力信号を利用して動作する信号利用部Ｈとから構成される。
【００３０】
まず、センサーユニットＡ１〜Ａ３及びセンサー部Ｂ１の構成、動作を説明する。図２はセンサーユニットＡ２の断面図であり、センサーユニットＡ２は、圧電フィルムＪ２を４分割し、交互に電極Ｉ２を配置し、電極Ｉ２は上面と下面が同じ位置で対応したものから構成される。電極Ｉ２を配置した部分を押下すると圧電フィルムＪ２は押下した力に応じた量のたわみが生じる。この圧電フィルムＪ２のたわみにより押下箇所近傍に分極が起こり、上下面の電極Ｉ２間にたわみ量に応じた電圧が生じて、この電圧がセンサーユニットＡ２の出力となる。電極Ｉ２を配置していない部分を押下しても上下面の電極Ｉ２間には電圧は発生せず、センサーユニットＡ２は出力しない。なお本実施形態１では、圧電フィルムＪ２の上面と下面ともにパターン化した電極Ｉ２を各々配置しているが、上面あるいは下面のいずれかのみにパターン化した電極を配置しても同様の効果が得られる。センサーユニットＡ１，Ａ３についてはセンサーユニットＡ２と電極パターンが異なるだけで、電極パターン以外の構成は図２と同様である。
【００３１】
図３は図１におけるセンサー部Ｂ１の電極パターン配置図を示し、１層目に設置するセンサユニットＡ１は圧電フィルムＪ１を４：４に２分割し、一方の分割部分に電極Ｉ１を設置した構成からなり、２層目に積層するセンサユニットＡ２は圧電フィルムＪ２を２：２：２：２に４分割して交互に電極Ｉ２を設置した構成からなり、３層目に積層するセンサユニットＡ３は圧電フィルムＪ３を１ずつ８分割して交互に電極Ｉ３を設置した構成となっている。
【００３２】
センサーユニットＡ１〜Ａ３を積層してセンサー部Ｂ１を構成すると、センサーユニットＡ１〜Ａ３の出力の組合せで構成されるセンサー部Ｂ１の出力信号は押下位置に応じて図４の出力組合せ表に示すように変化する。図４では位置「０」〜「７」の８分割された位置の検出に対応しているが、位置「０」の分割位置を押下したときのセンサ部Ｂ１の出力信号と、どこも押下していない時のセンサ部Ｂ１の出力信号とが同一となるため、位置「０」は位置検出には使えず、本実施形態１では位置「１」〜「７」の７箇所の押下位置が検出できる。例えば図３において、星印の箇所を押下すると、センサーユニットＡ１の出力は「０」、センサーユニットＡ２の出力は「１」、センサーユニットＡ３の出力は「０」となり「２」の位置が押下されたことが検出できる。
【００３３】
このようにセンサーユニットの電極を１層目は２分割、２層目は４分割、３層目は８分割というようにｎ層目のセンサーユニットの電極を２ｎに分割するとｎ層のセンサーユニットで（２ｎ−１）個に分割した位置を検出でき、配線、電極配置を簡略化できる。
【００３４】
例えば、７分割された位置の検出をしようとすると、通常であればセンサーを７分割して７個の位置検出信号を使わなければならない。しかし、本実施形態１のように電極パターンの異なる複数のセンサーユニットを積層することで位置検出信号３個で７分割された位置の検出を行うことができる。
【００３５】
次に図１の信号処理部Ｇの構成、動作について説明する。信号処理部Ｇは、センサ部Ｂ１を構成しているセンサユニットＡ１〜Ａ３からの各出力を増幅するアンプＣ１〜Ｃ３と、アンプＣ１〜Ｃ３の出力信号と入力有り判定しきい値とを比較する比較器Ｄ１〜Ｄ３と、位置信号を出力するデコーダＥと、強度信号を出力するアナログ−デジタル変換器Ｆとから構成される。
【００３６】
アンプＣ１〜Ｃ３は、センサユニットＡ１〜Ａ３からの各出力を増幅する。
【００３７】
比較器Ｄ１〜Ｄ３は、アンプＣ１〜Ｃ３で増幅された各信号と入力有り判定しきい値とを比較して、前記増幅された信号が前記しきい値より大きければセンサー部Ｂ１の電極部分を押下したと判断し、小さければセンサー部Ｂ１の電極部分を押下していないと判断して、比較結果を２値化する比較手段を構成する。
【００３８】
デコーダＥは、比較器Ｄ１〜Ｄ３が出力した各比較結果の内一つ以上の比較結果がセンサー部Ｂ１の電極部分を押下したと判断すると入力有効と判定し、前記判定結果が入力有効と判定すると、比較器Ｄ１〜Ｄ３からの２値化した信号の組合せに対応した位置信号を検索して、前記位置信号を出力する。
【００３９】
アナログ−デジタル変換器Ｆは、増幅器Ｃ１〜Ｃ３で増幅されたセンサーユニットＡ１、Ａ２、Ａ３からの各信号のピーク値を多値なデジタル値にアナログ−デジタル変換し、前記多値なデジタル値に変換された各値のうち最大の値をセンサー部Ｂ１を押下した時の押下強度として検出して、前記押下強度に応じた強度信号を出力する。
【００４０】
信号利用部Ｈは、信号処理部Ｇから出力される位置信号と強度信号とを入力して動作するパソコン、携帯電話、ゲーム機、電子楽器などのデジタル機器である。
【００４１】
（実施形態２）
実施形態２は、圧電フィルムの材質が発泡ポリプロピレンからなるものである。
【００４２】
図５は圧電フィルムの材質が発泡ポリプロピレンであるセンサーユニットとポリフッ化ビニリデン（ＰＶＤＦ）からなるセンサーユニットとの押下後の出力減衰特性を示している。圧電フィルムの材質がＰＶＤＦの場合の出力減衰特性は曲線Ｙ１で示され、押下した瞬間のみ出力されるのに対し、圧電フィルムの材質が発泡ポリプロピレンの場合の出力減衰特性は曲線Ｙ２で示され、内部にバブルを有するために押下後も出力は押下する力に応じてある程度持続する。
【００４３】
したがって、圧電フィルムの材質が発泡ポリプロピレンであるセンサーユニットを用いる場合は、センサーユニットからの出力が入力された時に、曲線Ｙ２が入力有り判定しきい値Ｋを超えた時間ｔ１と、入力有り判定しきい値Ｋを超えた後入力有り判定しきい値以下になった時間ｔ２とを検出し、（ｔ２−ｔ１）を計測して、その計測結果に応じて押下の強度信号を出力すれば、実施形態１のようにアナログ−デジタル変換を用いずに簡単な構成で押下の強度信号を得ることができる。
【００４４】
また、図５において、時間ｔ１〜ｔ２の間だけ位置信号を出力するようにすれば、押下した時間に対応した位置情報を得ることができる。
【００４５】
（実施形態３）
図６に示すように、各楽器の押下範囲Ｌ１〜Ｌ４に４分割された押下場所により音出力の異なるパッドを構成する場合を考えると、出力しようとする楽器の種類に応じて任意の形状に押下範囲Ｌ１〜Ｌ４を設定し、出力する音量についても押下範囲Ｌ１〜Ｌ４に応じて強度入力を設定しないといけない。
【００４６】
本実施形態３では、図６に示す３枚のセンサーユニットＡ４〜Ａ６の出力信号の組合せを、押下位置Ｌ１〜Ｌ４に対応した楽器の種類に応じて図７に示すように設定し、センサーユニットＡ４〜Ａ６の出力有り・無しを判定する入力有り判定しきい値を各楽器の押下範囲Ｌ１〜Ｌ４に応じた値に設定することで上記仕様を実現できる。図７に示すセンサーユニットＡ４〜Ａ６のしきい値設定では、トライアングルの押下範囲Ｌ１では入力有り判定しきい値を低く設定しているので弱い押下力でも出力し、バスドラムの押下範囲Ｌ４では入力有り判定しきい値を高く設定しているので強い押下力でないと出力しない。
【００４７】
このように、押下位置により入力有り判定しきい値を設定することで、押下位置によるセンサーユニットの感度を変えることができる。
【００４８】
次に、図８のようなキーボードの場合は、図９に示すセンサーユニットＡ７〜Ａ９の出力信号の組合せのように、押下位置Ｌ５〜Ｌ１１に対応したセンサーユニットＡ７〜Ａ９の出力信号の組合せと押下位置Ｌ５〜Ｌ１１に対応した出力である音階とをあらかじめ記憶装置に記憶させておけば、信号処理部を簡略化できる。
【００４９】
また、図１０に示す押下力−音量の出力特性のように押下力により音量を可変してやれば、電子楽器としてリアルな操作感を持たせることができる。図１０に示す設定では押下力が弱ければ小さな音量で出力し、押下力が強ければ大きな音量で出力する。
【００５０】
（実施形態４）
実施形態４は、図１２に示す６枚のセンサユニットＡ１０〜Ａ１５を積層して構成される。１層目に設置するセンサユニットＡ１０は圧電フィルムＪ１０を４：３に縦に２分割し、比率４の分割部分に電極Ｉ１０を圧電フィルムＪ１０の上下面共に設置した構成からなり、２層目に積層するセンサユニットＡ１１は圧電フィルムＪ１１を２：２：２：１に縦に４分割して交互に電極Ｉ１１を圧電フィルムＪ１１の上下面共に設置した構成からなり、３層目に積層するセンサユニットＡ１２は圧電フィルムＪ１２を１ずつ縦に７分割して交互に電極Ｉ１２を圧電フィルムＪ１２の上下面共に設置した構成からなり、４層目に設置するセンサユニットＡ１３は圧電フィルムＪ１３を４：３に横に２分割し、比率４の分割部分に電極Ｉ１３を圧電フィルムＪ１３の上下面共に設置した構成からなり、５層目に積層するセンサユニットＡ１４は圧電フィルムＪ１４を２：２：２：１に横に４分割して交互に電極Ｉ１４を圧電フィルムＪ１４の上下面共に設置した構成からなり、６層目に積層するセンサユニットＡ１５は圧電フィルムＪ１５を１ずつ横に７分割して交互に電極Ｉ１５を圧電フィルムＪ１５の上下面共に設置した構成からなっている。
【００５１】
この構成によると、センサーユニットＡ１０〜Ａ１５において電極を配置している箇所を押下した時のみセンサーユニットＡ１０〜Ａ１５からの出力が発生するので、６枚のセンサーユニットＡ１０〜Ａ１５からの出力の組合せを検出することで４９分割の位置検出ができる。つまり、６個の検出信号で４９分割された位置の検出を行うことができる。
【００５２】
例えば、図１１に示すセンサーユニットＡ１０〜Ａ１５を積層したセンサー部Ｂ３の星印の箇所に圧力を加えると、センサーユニットＡ１０〜Ａ１２からは各々「０，１，０」、センサーユニットＡ１３〜Ａ１５からは各々「０，１，１」の出力が得られ、「横３、縦２」の位置に圧力が加えられたことを検出できる。
【００５３】
このようにセンサーユニットを何層かに積層して、各センサーユニットからの出力の組合せを検出することで、分割された検出位置の数よりも少ない検出信号で分割された位置を検出することができる。
【００５４】
（実施形態５）
図１３、図１４は実施形態５のセンサーユニットの電極配置パターンを示す。図１３において、１層目に設置するセンサーユニットＡ１６は、圧電フィルムＪ１６を同心円状に２分割し、その中心Ｐ側に電極Ｉ１６を圧電フィルムＪ１６の上下面共に設置した構成からなり、２層目に積層するセンサーユニットＡ１７は、圧電フィルムＪ１７を同心円状に４分割し、交互に電極Ｉ１７を圧電フィルムＪ１７の上下面共に設置した構成からなり、３層目に積層するセンサーユニットＡ１８は、圧電フィルムＪ１８を同心円状に８分割し、交互に電極Ｉ１８を圧電フィルムＪ１８の上下面共に設置した構成からなる。前記のように同心円状に電極を配置したセンサーユニットＡ１６〜Ａ１８を積層することで、圧力を加えた位置の同心円中心位置Ｐからの距離情報を検出できる。
【００５５】
次に図１４において、１層目に設置するセンサーユニットＡ１９は、圧電フィルムＪ１９を放射状に２分割し、その一方の側に電極Ｉ１９を圧電フィルムＪ１９の上下面共に設置した構成からなり、２層目に積層するセンサーユニットＡ２０は、圧電フィルムＪ２０を放射状に４分割し、交互に電極Ｉ２０を圧電フィルムＪ２０の上下面共に設置した構成からなり、３層目に積層するセンサーユニットＡ２１は、圧電フィルムＪ２１を放射状に８分割し、交互に電極Ｉ２１を圧電フィルムＪ２１の上下面共に設置した構成からなる。前記のように放射状に電極を配置したセンサーユニットＡ１９〜Ａ２１を積層することで、圧力を加えた位置の中心Ｐからの方向を検出できる。
【００５６】
また、図１３のように同心円状に電極を配置したセンサーユニットＡ１６〜Ａ１８と図１４のように放射状に電極を配置したセンサーユニットＡ１９〜Ａ２１とを積層して１個のセンサー部を構成することで、圧力を加えた位置の中心Ｐからの極座標を検出できる。
【００５７】
（実施形態６）
図１５は、実施形態６における積層された３枚のセンサーユニットＡ２２〜Ａ２４の電極Ｉ２２〜Ｉ２４の配置パターンを示す。積層する順番は、１層目にセンサーユニットＡ２２、２層目にセンサーユニットＡ２３、３層目にセンサーユニットＡ２４が積層される。センサーユニットＡ２２〜Ａ２４の電極Ｉ２２〜Ｉ２４の配置パターンは、上の層の電極の境界線が下の層の電極の境界線と重ならないように配置（交番２値化パターン）したもので、実施形態１と同様にｎ枚のセンサーユニットを積層して、各センサーユニットからの計６個の出力の組合せで（２ｎ−１）の分解能を得ることができる。
【００５８】
図１６及び図１７は、前記実施形態１及び本実施形態６において、電極の位置がずれた場合、あるいは電極の境界付近に圧力を加えて出力がずれた場合の、出力の変化について各々示している。図１６は実施形態１の場合を示しており、実施形態１において電極Ｉ１の位置がずれた場合、あるいは電極Ｉ１の境界付近に圧力を加えて出力がずれた場合は、出力が３から７となり４ずれる。しかし図１７に示すように本実施形態６では、電極Ｉ２２の位置がずれた場合、あるいは電極Ｉ２２の境界付近に圧力を加えて出力がずれた場合は、出力は３から４となり１ずれるだけである。このように本実施形態６では、電極Ｉ２２〜Ｉ２４の位置がずれた場合や電極Ｉ２２〜Ｉ２４の境界付近に圧力を加えて出力がずれた場合などでも、出力は正しい値から±１しかずれず、精度の良い位置検出を行うことができる。
【００５９】
（実施形態７）
実施形態７では、図１８に示すように最小幅Ｎの電極Ｉ２５がパターン化されて配置されるセンサーユニットＡ２５の下に、センサーユニットＡ２５と同一の最小幅Ｎの電極Ｉ２６がパターン化されて配置されるセンサーユニットＡ２６を電極Ｉ２５のパターン境界位置と電極Ｉ２６のパターン境界位置とをＮ／２ずらして積層させることにより、位置検出分解能が２倍になり、幅がＮ／２の電極Ｉ２７がパターン化されて配置されたセンサーユニットＡ２７と同等の位置検出分解能を得ることができる。このように、実施形態７では電極パターンを小さくすることなく、位置検出分解能を上げることができる。
【００６０】
（実施形態８）
図１９は実施形態８を示し、実施形態８は、センサーユニットを積層して構成されているキーボードＲと、キーボードＲからの信号を入力して、入力信号に応じた信号処理を行った信号を出力する信号処理部Ｇと、信号処理部Ｇの出力信号を利用して動作する信号利用部Ｈとから構成される。
【００６１】
キーボードＲは、操作する人間の手にフィットするように曲面上にセンサーユニットを積層して構成される。また、前記センサーユニットは可とう性を有するので、丸めて小さくできる。
【００６２】
このように、実施形態８では平板だけでなく、曲面形状や可とう性のある面上にもセンサーユニットを積層して位置検出を行うことができる。
【００６３】
（実施形態９）
図２０は実施形態９を示し、ぬいぐるみＸは、頭部に電極を持ったセンサーユニットＡ２８と、背中部に電極を持ったセンサーユニットＡ２９と、腹部に電極を持ったセンサーユニットＡ３０とを積層して１枚のセンサー部Ｂ２を構成し、センサー部Ｂ２は取り付け形状に応じて成形加工され、１枚のセンサー部Ｂ２だけでぬいぐるみＸの全面を覆うことができ、センサーユニットＡ２８〜Ａ３０に対する押下力に応じた声、表情、動き等の反応動作を行う。
【００６４】
また、前記センサーユニットＡ２８〜Ａ３０は、各々圧電フィルムＪ２８〜Ｊ３０の上面と下面とにパターン化した電極Ｉ２８〜３０から構成されており、センサーユニットＡ２８〜Ａ３０は積層され１枚のセンサー部Ｂ２を構成し、センサー部Ｂ２は柔軟部材Ｓを介して支持材Ｔに設置されるため、柔軟な感触が得られる。
【００６５】
通常ぬいぐるみやペットロボットの形状は曲面や凹凸形状で構成されているため、センサーは取り付けにくく、従来は複数のセンサーを設置していた。
【００６６】
しかし、本実施形態９では、センサー部Ｂ２をぬいぐるみＸに取り付けるのに適した形状に成形加工し、１枚のセンサー部Ｂ２で各設置箇所全面を覆って押下位置を検出でき、押下の強度によって声、表情、動き等の反応動作の動作量を可変にできる。また、センサー部Ｂ２からの入力有りを判定するための入力有り判定しきい値を設置箇所に応じて設定することで、電極Ｉ２８〜Ｉ３０の設置箇所に応じた各々のセンサー感度を設定することができる。つまり、外部との接触の多い部分は前記しきい値を高くして外乱に強くできる。
【００６７】
また、本実施例９では、頭部センサー、背中部センサー、腹部センサーを実施例として挙げているが、任意の位置にセンサーを設置することにより、同様の効果を得ることができる。
【００６８】
【発明の効果】
請求項１の発明は、圧電フィルムの上面と下面とに電極を配置して、前記電極のうち少なくともいずれかがパターン化した電極である一つのセンサーユニットを構成し、電極パターンの異なる前記複数のセンサーユニットを積層し、前記積層したセンサーユニットが押下された時、前記各センサーユニットからの出力信号の組合せにより、前記圧電フィルム上の押下位置に対応する信号を出力する入力装置であって、各センサーユニットからの出力信号と予め設定された入力有り判定しきい値とを比較して、前記出力信号が前記しきい値を超える時入力有りと判断し、前記出力信号が前記しきい値を超えない時入力無しと判断して前記比較結果を２値化する比較手段と、前記各センサーユニットに対応した複数の前記比較手段の比較結果の内一つ以上の比較結果が入力有りとなった時、入力有効と判定する判定手段と、予め複数の前記比較手段からの２値化した信号の組合せと圧電フィルム上の押下位置に対応する位置信号との関係を表した対応表を記憶した記憶手段と、前記判定手段による判定結果が有効と判定された時、前記複数の比較手段からの２値化した信号の組合せと前記記憶手段が記憶している前記対応表とを参照して前記位置信号を求める検索手段とから構成されることを特徴とし、この構成によれば広範囲に高信頼性の押下位置と押下強度の検出を同時に行える圧電フィルムを使用した、デジタル機器への入力装置を提供することができるという効果がある。さらに、センサーユニットからの出力信号を２値化して処理すること及び、あらかじめ前記２値化した信号の組合せと前記位置信号との関係を記憶することで後段の信号処理部の構成を簡略化することができるという効果もある。
【００６９】
請求項２の発明は、請求項１の発明において、積層した前記複数のセンサーユニットを押下した時に、最も分割数の多い電極を配置した前記センサユニット上の前記電極を配置した各々の箇所と前記電極を配置していない各々の箇所とに対応する前記信号の組合せを出力するように前記各センサユニットの電極をパターン化したことを特徴とし、圧電フィルムをｎ枚以上積層することで、（２ｎ−１）分割した位置検出をｎ個の信号で行うことができ、配線及び電極配置を簡略化できるという効果がある。
【００７０】
請求項３の発明は、請求項２の発明において、複数箇所の位置を識別するために、２を正の整数で累乗した数から１を引いた数が、識別する箇所の数より大きいことを満たす前記正の整数をセンサーユニットの数とし、前記センサーユニットの電極は２を前記センサーユニットの数を最大とする正の整数で累乗した数に分割され、前記電極の分割数は前記全てのセンサーユニットにおいて異なることを特徴とし、圧電フィルムをｎ枚以上積層することで、（２ｎ−１）分割した位置検出をｎ個の信号で行うことができ、配線及び電極配置を簡略化できるという効果がある。
【００７１】
請求項４の発明は、請求項３の発明において、複数箇所の位置を識別するために、２を正の整数で累乗した数から１を引いた数が、識別する箇所の数より大きいことを満たす前記正の整数の内最小の整数をセンサーユニットの数とし、前記センサーユニットの電極は２を前記センサーユニットの数を最大とする正の整数で累乗した数に分割され、前記電極の分割数は前記全てのセンサーユニットにおいて異なることを特徴とし、圧電フィルムをｎ枚積層することで、（２ｎ−１）分割した位置検出をｎ個の信号で行うことができ、配線及び電極配置を簡略化できるという効果がある。
【００７２】
請求項５の発明は、請求項１乃至４いずれかの発明において、圧電フィルムは発泡ポリプロピレンからなり、前記圧電フィルムよりなる各センサーユニットからの出力信号の内一つの出力信号が予め設定した入力有り判定しきい値を超えてから、前記出力信号が前記しきい値より下がるまでの時間を計測し、前記時間を押下の強度とする強度信号を出力することを特徴とし、アナログ−デジタル変換部を設けることなく簡易な構成で押下の強度に応じた出力を得ることができるという効果がある。
【００７３】
請求項６の発明は、請求項１乃至５いずれかの発明において、圧電フィルムは発泡ポリプロピレンからなり、前記圧電フィルムよりなる各センサーユニットからの出力信号の内一つの出力信号が予め設定した入力有り判定しきい値を超えてから、前記出力信号が前記しきい値より下がるまでの間だけ、圧着フィルム上の押下位置に対応する位置信号を出力することを特徴とし、押下している間だけ位置出力を得られるようにすることができるという効果がある。
【００７４】
請求項７の発明は、請求項１乃至４いずれかの発明において、各センサーユニットからの出力信号のピーク値を多値にデジタル化した値に変換して、前記各センサーユニットからの出力信号のピーク値の内最大のピーク値を押下の強度とする強度信号を出力するアナログ−デジタル変換部を備えることを特徴とし、押下の強度に応じた出力を得ることができるという効果がある。
【００７５】
請求項８の発明は、請求項１乃至７いずれかの発明において、前記位置信号は、圧電フィルム上の押下位置に割り当てる機能に対応するコードであることを特徴とし、押下位置に応じた機能信号を出力することができるという効果がある。
【００７６】
請求項９の発明は、請求項５の発明において、予め各出力信号に対して入力を受け付けるための出力強度しきい値を記憶させたしきい値表を設定し、前記入力発生時、前記しきい値表より前記入力に対応した出力強度しきい値と前記入力の強度信号とを比較し、前記比較結果に応じて前記出力信号を出力するかどうかを判定することを特徴とし、押下位置によって前記しきい値を変えることで、押下位置によるセンサーの感度を変えることができるという効果がある。
【００７７】
請求項１０の発明は、請求項１乃至９いずれかの発明において、前記パターン化した電極の配置を一次元方向に並べてセンサーユニットを構成し、前記一次元方向の電極配置を持ち、前記センサーユニットと電極パターンが異なるセンサーユニットを電極パターン方向を揃えて積層したことを特徴とし、圧電フィルムをｎ枚積層することで、（２ｎ−１）分割した位置検出をｎ個の信号で行うことができ、配線及び電極配置を簡略化できるという効果がある。
【００７８】
請求項１１の発明は、請求項１乃至９いずれかの発明において、前記パターン化した電極の配置を一次元方向に並べてセンサーユニットを構成し、前記一次元方向の電極配置を持ち、前記センサーユニットと電極パターンが異なるセンサーユニットを前記センサーユニットに対して電極パターン方向を略９０度異なるように積層したことを特徴とし、圧電フィルムをｎ枚積層することで、（２ｎ−１）分割した位置検出をｎ個の信号で行うことができ、配線及び電極配置を簡略化できるという効果がある。
【００７９】
請求項１２の発明は、請求項１乃至９いずれかの発明において、前記パターン化した電極の配置を同心円状に並べてセンサーユニットを構成し、前記同心円状の電極配置を持ち、前記センサーユニットと電極パターンが異なるセンサーユニットを積層したことを特徴とし、押下した位置の中心からの距離を検出することができるという効果がある。
【００８０】
請求項１３の発明は、請求項１乃至９いずれかの発明において、前記パターン化した電極の配置を放射状に並べてセンサーユニットを構成し、前記放射状の電極配置を持ち、前記センサーユニットと電極パターンが異なるセンサーユニットを積層したことを特徴とし、押下した位置の中心からの方向を検出することができるという効果がある。
【００８１】
請求項１４の発明は、請求項１乃至９いずれかの発明において、前記パターン化した電極の配置を同心円状に並べて構成されたセンサーユニットと、前記パターン化した電極の配置を放射状に並べて構成されたセンサーユニットとを積層したことを特徴とし、押下した位置の中心からの極座標情報を検出することができるという効果がある。
【００８２】
請求項１５の発明は、請求項１乃至９いずれかの発明において、任意に前記パターン化した電極を任意に配置してセンサーユニットを構成し、前記任意の電極配置を持ち、前記センサーユニットと電極パターンが異なるセンサーユニットを積層したことを特徴とし、圧電フィルムをｎ枚積層することで、（２ｎ−１）分割した位置検出をｎ個の信号で行うことができ、配線及び電極配置を簡略化できるという効果がある。
【００８３】
請求項１６の発明は、請求項１乃至９いずれかの発明において、前記パターン化した電極を配置して一つのセンサーユニットを構成し、電極パターンの異なる前記複数のセンサーユニットを積層する時、前記各電極パターンの境界が積層方向に重ならないように積層したことを特徴とし、電極パターンの境界位置がずれた場合又は、電極パターンの境界付近に圧力を加えて出力がずれて出た場合でも誤差±１での検出ができるという効果がある。
【００８４】
請求項１７の発明は、請求項１乃至９いずれかの発明において、前記パターン化した電極を配置して一つのセンサーユニットを構成し、電極パターンの異なる前記複数のセンサーユニットを積層する時、最小幅の電極パターンの次に前記最小幅の電極パターンを前記電極パターン幅の１／２ずらして積層したことを特徴とし、細かい電極パターンを生成することなく位置分解能を上げることができるという効果がある。
【００８５】
請求項１８の発明は、請求項１乃至９いずれかの発明において、前記パターン化した電極を配置して一つのセンサーユニットを構成し、電極パターンの異なる前記複数のセンサーユニットを積層し、前記積層されたセンサーユニットを平板上に設置したことを特徴とし、平板上にセンサーを設置して位置検出を行うことができるという効果がある。
【００８６】
請求項１９の発明は、請求項１乃至９いずれかの発明において、前記パターン化した電極を配置して一つのセンサーユニットを構成し、電極パターンの異なる前記複数のセンサーユニットを積層し、前記積層されたセンサーユニットを曲面上に設置したことを特徴とし、曲面上にセンサーを設置して位置検出を行うことができるという効果がある。
【００８７】
請求項２０の発明は、請求項１乃至９いずれかの発明において、前記パターン化した電極を配置して一つのセンサーユニットを構成し、電極パターンの異なる前記複数のセンサーユニットを積層し、前記積層されたセンサーユニットを可とう性を持つ面上に設置したことを特徴とし、可とう性を持つ面上にセンサーを設置して位置検出を行うことができ、センサー自体も可とう性を持っているので丸めたりしてコンパクトにできるという効果がある。
【００８８】
請求項２１の発明は、請求項１乃至９いずれかの発明において、前記パターン化した電極を配置して一つのセンサーユニットを構成し、電極パターンの異なる前記複数のセンサーユニットを積層し、前記積層されたセンサーユニットの下に柔軟部材を介して支持材を設置したことを特徴とし、押下時に柔軟な感触を得ることができるという効果がある。
【００８９】
請求項２２の発明は、請求項１乃至９いずれかの発明において、立体形状に成形した圧電フィルムに前記パターン化した電極を配置して一つのセンサーユニットを構成し、電極パターンの異なる前記複数のセンサーユニットを積層したことを特徴とし、センサーを設置しにくい形状の面でも１枚のセンサーで位置検出を行うことができるという効果がある。  
【図面の簡単な説明】
【図１】  本発明の実施形態１を示す構成図である。
【図２】  本発明の実施形態１のセンサーユニットの詳細を示す断面図である。
【図３】  本発明の実施形態１のセンサー部を示す電極パターン配置図である。
【図４】  本発明の実施形態１のセンサー出力信号の組合せを示す図である。
【図５】  本発明の実施形態２の圧電素子の出力減衰特性を示す図である。
【図６】  本発明の実施形態３のセンサー部詳細を示す構成図である。
【図７】  本発明の実施形態３のセンサー出力信号の組合せを示す図である。
【図８】  本発明の実施形態３のセンサー部詳細を示す構成図である。
【図９】  本発明の実施形態３のセンサー出力信号の組合せを示す図である。
【図１０】  本発明の実施形態３の押下力−音量出力特性の例を示す図である。
【図１１】  本発明の実施形態４のセンサー部を示す構成図である。
【図１２】  本発明の実施形態４のセンサー部を示す電極配置パターン図である。
【図１３】  本発明の実施形態５のセンサー部を示す電極配置パターン図である。
【図１４】  本発明の実施形態５のセンサー部を示す電極配置パターン図である。
【図１５】  本発明の実施形態６のセンサー部を示す電極配置パターン図である。
【図１６】  本発明の実施形態１における出力ずれを示す出力信号図である。
【図１７】  本発明の実施形態６における出力ずれを示す出力信号図である。
【図１８】  本発明の実施形態７のセンサー部を示す電極配置パターン図である。
【図１９】  本発明の実施形態８を示す構成図である。
【図２０】  本発明の実施形態９を示す構成図である。
【図２１】  従来例の位置検出用部材を示す断面図である。
【符号の説明】
Ａ１  センサーユニット
Ａ２  センサーユニット
Ａ３  センサーユニット
Ｂ１  センサー部
Ｃ１  アンプ
Ｃ２  アンプ
Ｃ３  アンプ
Ｄ１  比較器
Ｄ２  比較器
Ｄ３  比較器
Ｅ  デコーダ
Ｆ  アナログ−デジタル変換器
Ｇ  信号処理部
Ｈ  信号利用部
【図１】
0004196041.tif 000002
【図２】
0004196041.tif 000003
【図３】
0004196041.tif 000004
【図４】
0004196041.tif 000005
【図５】
0004196041.tif 000006
【図６】
0004196041.tif 000007
【図７】
0004196041.tif 000008
【図８】
0004196041.tif 000009
【図９】
0004196041.tif 000010
【図１０】
0004196041.tif 000011
【図１１】
0004196041.tif 000012
【図１２】
0004196041.tif 000013
【図１３】
0004196041.tif 000014
【図１４】
0004196041.tif 000015
【図１５】
0004196041.tif 000016
【図１６】
0004196041.tif 000017
【図１７】
0004196041.tif 000018
【図１８】
0004196041.tif 000019
【図１９】
0004196041.tif 000020
【図２０】
0004196041.tif 000021
【図２１】
0004196041.tif 000022